(57)【特許請求の範囲】
【請求項１】
トランスポートストリームを分割して複数のチャネルでトランスポートストリームパケット列のフレーム構造により分割伝送する送信装置において、当該送信装置が少なくとも分割した１つのトランスポートストリームの伝送チャネルの物理情報及び続く伝送チャネルの物理情報を順次トランスポートストリームに挿入する挿入手段を具備したことを特徴とするトランスポートストリームの送信装置。
【請求項２】
トランスポートストリームを分割して複数のチャネルでトランスポートストリームパケット列のフレーム構造により分割伝送する送信装置において、当該送信装置が少なくとも分割した１つのトランスポートストリームの伝送チャネルの物理情報及び続く伝送チャネルの物理情報のうち異なる情報を順次トランスポートストリームに挿入する挿入手段を具備したことを特徴とするトランスポートストリームの送信装置。
【請求項３】
トランスポートストリームを分割して複数のチャネルでトランスポートストリームパケット列のフレーム構造により分割伝送する送信装置において、当該送信装置が少なくとも分割したトランスポートストリームの伝送チャネルの代表的な物理情報を分割の順序に従い順次トランスポートストリームに挿入する挿入手投を具備したことを特徴とするトランスポートストリームの送信装置。
【請求項４】
トランスポートストリームを分割して複数のチャネルでトランスポートストリームパケット列のフレーム構造により分割伝送する送信装置において、当該送信装置が少なくとも分割数の情報と分割した各々のトランスポートストリームの伝送チャネルの物理情報に分割の順序を示す情報と順序の最後か否かを表す情報とを付加しトランスポートストリームに挿入する挿入手段を具備したことを特徴とするトランスポートストリームの送信装置。
【請求項５】
トランスポートストリームを分割して複数のチャネルでトランスポートストリームパケット列のフレーム構造により分割伝送する送信装置において、当該送信装置が少なくとも分割したトランスポートストリームの次の伝送チャネルの物理情報のうち代表する情報をトランスポートストリームのフレームのヘッダとなるトランスポートストリームパケットに挿入する挿入手段を具備したことを特徴とするトランスポートストリームの送信装置。
【請求項６】
トランスポートストリームを分割して複数のチャネルでトランスポートストリームパケット列のフレーム構造により分割伝送する送信装置において、当該送信装置が少なくとも分割したトランスポートストリームの次の伝送チャネルの物理情報を符号化しトランスポートストリームのフレームのヘッダとなるトランスポートストリームパケットに挿入する挿入手段を具備したことを特徴とするトランスポートストリームの送信装置。
【請求項７】
トランスポートストリームを分割して複数のチャネルでトランスポートストリームパケット列のフレーム構造により分割伝送された信号を受信する受信装置において、当該受信装置が少なくとも分割した１つのトランスポートストリームの伝送チャネルの物理情報及び続く伝送チャネルの物理情報を順次トランスポートストリームに挿入された信号に基づき元のトランスポートストリームパケット列に多重化する多重化手段を具備したことを特徴とするトランスポートストリームの受信装置。
【請求項８】
トランスポートストリームを分割して複数のチャネルでトランスポートストリームパケット列のフレーム構造により分割伝送された信号を受信する受信装置において、当該受信装置が少なくとも分割した１つのトランスポートストリームの伝送チャネルの物理情報及び続く伝送チャネルの物理情報のうち異なる情報を順次トランスポートストリームに挿入された信号に基づき元のトランスポートストリームパケット列に多重化する多重化手段を具備したことを特徴とするトランスポートストリームの受信装置。
【請求項９】
トランスポートストリームを分割して複数のチャネルでトランスポートストリームパケット列のフレーム構造により分割伝送された信号を受信する受信装置において、当該受信装置が少なくとも分割されたトランスポートストリームの伝送チャネルの代表的な物理情報を分割の順序に従い順次トランスポートストリームに挿入された信号に基づき元のトランスポートストリームパケット列に多重化する多重手段を具備したことを特徴とするトランスポートストリームの受信装置。
【請求項１０】
トランスポートストリームを分割して複数のチャネルでトランスポートストリームパケット列のフレーム構造により分割伝送された信号を受信する受信装置において、当該受信装置が少なくとも分割数の情報と分割した各々のトランスポートストリームの伝送チャネルの物理情報に分割の順序を示す情報順序の最後か否かを表す情報とを付加しトランスポートストリームに挿入された情報に基づき元のトランスポートストリームパケット列に多重化する多重化手段を具備したことを特徴とするトランスポートストリームの受信装置。
【請求項１１】
トランスポートストリームを分割して複数のチャネルでトランスポートストリームパケット列のフレーム構造により分割伝送された信号を受信する受信装置において、当該受信装置が少なくとも分割したトランスポートストリームの次の伝送チャネルの物理情報のうち代表する情報をトランスポートストリームのフレームのヘッダとなるトランスポートストリームパケットに挿入された情報に基づき元のトランスポートストリームパケット列に多重化する多重化手段を具備したことを特徴とするトランスポートストリームの受信装置。
【請求項１２】
トランスポートストリームを分割して複数のチャネルでトランスポートストリームパケット列のフレーム構造により分割伝送された信号を受信する受信装置において、当該受信装置が少なくとも分割したトランスポートストリームの次の伝送チャネルの物理情報を符号化しトランスポートストリームのフレームのヘッダとなるトランスポートストリームパケットに挿入された情報に基づき元のトランスポートストリームパケット列に多重化する多重化手段を具備したことを特徴とするトランスポートストリームの受信装置。
【発明の詳細な説明】
【０００１】
【発明の属する技術分野】
本発明は大容量のトランスポートストリームを分割して複数のチャネルを用い伝送するための送信装置と伝送後に元のトランスポートストリームに復元することを可能にする受信装置に関するものである。
【０００２】
【従来の技術】
トランスポートストリームはＭＰＥＧ２トランスポートストリームパケット（ＩＳＯ／ＩＥＣ１３８１８−１に規定されるトランスポートストリームパケットまたはこれに誤り訂正符号を付加したパケット）列で伝送される。
ＢＳデジタル放送ではＭＰＥＧ２トランスポートストリーム列に周期的なフレーム構造を持たせその相対的な位置を別の変調信号を用いた信号により制御することで複数のトランスポートストリームを多重・分離している。
単一の伝送チャネルで複数のトランスポートストリームをそれぞれ独立して多重伝送する方法は特許３０５１７２９号で提供され、ケーブルテレビ上でのトランスポートストリームの伝送に採用されている。
複数の伝送チャネルを用いて各伝送チャネルの容量を超えるトランスポートストリームを伝送する方法は２０００年１２月の映像情報メディア学会冬季大会で「ケーブルテレビにおける高速ＭＰＥＧ−ＴＳ信号の複数搬送波による分割伝送方式」として発表されている（大須賀英己、中村直義、野田勉、小山田公之、伊東普、「６−７ケーブルテレビにおける高速ＭＰＥＧ−ＴＳ信号の複数搬送波による分割伝送方式」、２０００年映像情報メディア学会冬季大会、講演予稿集９３頁）。
【０００３】
【発明が解決しようとする課題】
本発明者は、前記従来技術を検討した結果、前記の方法では伝送チャネルに関する情報および分割・多重化順序を示す情報とを送信側と受信側とで事前に取り交わしておくか、あるいは別の伝送チャネルで伝送する必要があったという問題点を見いだした。
ＡＴＭではパケットの伝搬路を切り替えることも可能であるが、トランスポートストリームパケットを下位層のパケットにマッピングして伝送するため、下位層のパケットを伝送するシステムが必要になる。
本発明の目的は複数の伝送チャネルでトランスポートストリームパケットを伝送するに際し、単一チャネルでの伝送方式に簡単な変更を加え、他の伝送チャネルを用いず伝送チャネルに関する情報を伝送し、単一の伝送チャネルでの容量を超えるトランスポートストリームを複数のチャネルで伝送するためのトランスポートストリーム送信装置およびトランスポートストリーム受信装置を提供せんとするものである。
本発明の前記ならびにその他の目的と新規な特徴は、本明細書の記述及び添付図面によって明らかになるであろう。
【０００４】
【課題を解決するための手段】
本願において開示される発明のうち、代表的なものの概要を簡単に説明すれば、以下のとおりである。
代表的な発明は、トランスポートストリームを分割して複数のチャネルでトランスポートストリームパケット列のフレーム構造により分割伝送する送信装置において、当該送信装置が少なくとも分割したトランスポートストリームパケット列に再合成するための情報をトランスポートストリームに挿入する挿入手段を具備したトランスポートストリームの送信装置である。
【０００５】
そして、前記送信装置に対応した、トランスポートストリームを分割して複数のチャネルでトランスポートストリームパケット列のフレーム構造により分割伝送された信号を受信する受信装置において、当該受信装置が少なくともトランスポートストリームに含まれるトランスポートストリームパケット列に再合成する情報に基づき元のトランスポートストリームパケット列に多重化する多重化手段を具備したトランスポートストリームの受信装置である。
また、分割した各々のトランスポートストリームの伝送チャネルの物理情報をトランスポートストリームに挿入することもできる。
【０００６】
本発明によれば、複数の伝送チャネルでトランスポートストリームパケットを伝送するに際し、単一チャネルでの伝送方式に簡単な変更を加え、他の伝送チャネルを用いず伝送チャネルに関する情報を伝送し、単一の伝送チャネルでの容量を超えるトランスポートストリームを複数のチャネルで伝送するためのトランスポートストリーム送信装置およびトランスポートストリーム受信装置を得ることができる。
以下、本発明について、実施の形態を詳細に説明する。
【０００７】
【発明の実施の形態】
［発明実施の形態１］
本実施の形態の伝送トランスポートストリーム送信装置は、分割したトランスポートストリームを伝送チャネルに振り分ける順序の情報を伝送する伝送チャネルの順序を示す符号としてあるいは伝送チャネルのリンク関係を符号化しトランスポートストリームパケット形式で送信信号に挿入する挿入手投を具備したものである。以下添付図面を参照し本実施の形態を詳細に説明する。図１において本発明のトランスポートストリーム（ＴＳと称す）の送信装置および受信装置の実施例の概略の構成ブロック図を示す。
【０００８】
さらに図１において参照番号１は高速ＭＰＥＧ−ＴＳ信号源、参照番号２はトランスポートストリーム送信装置、参照番号３は伝送チャネル、参照番号４はトランスポートストリーム受信装置、参照番号５は表示装置、参照番号１１はＴＳパケット分離部、参照番号１２はＴＳレート変換部（ＴＳレート変換器１２−１〜１２−Ｎ）、参照番号１３はデジタル速度変換部（デジタル速度変換器１３−１〜１３−Ｎ）、参照番号１４は分割情報発生部（分割情報発生器１４−１〜１４−Ｎ）、参照番号１５はＴＳパケット多重部（ＴＳパケット多重器１５−１〜１５−Ｎ）、参照番号１６は伝送信号送信変換部（伝送信号送信変換器１６−１〜１６−Ｎ）、参照番号２１は伝送チャネル選択部（伝送チャネル選択器２１−１〜２１−Ｎ）、参照番号２２は伝送信号受信変換部（伝送信号受信変換器２２−１〜２２−Ｎ）、参照番号２３は分割情報受信制御部（分割情報受信制御器２３−１〜２３−Ｎ）、参照番号２４は分割情報除去部（分割情報除去器２４−１〜２４−Ｎ）、２５はＴＳレート変換部（ＴＳレート変換器２５−１〜２５−Ｎ）、２６はデジタル速度変換部（デジタル速度変換器２６−１〜２６−Ｎ）、２７はＴＳパケット多重部、２８はＭＰＥＧ−ＴＳパケット分離部、２９はＭＰＥＧビデオデコーダ、３０はＭＰＥＧオーディオデコーダを示す。
【０００９】
図１のＴＳ送信装置２では伝送チャネル３のそれぞれの伝送チャネルの伝送容量を超える容量のトランスポートストリームパケット列が高速ＭＰＥＧ−ＴＳ信号源から入力する。トランスポートストリームパケット列はＴＳパケット分離部１１によりトランスポートストリームパケット単位で分割される。ここで分割後のＴＳをＴＳ−１〜ＴＳ−Ｎとする。
【００１０】
分割されたＴＳ信号、ＴＳ−１〜ＴＳ−ＮはそれぞれＴＳレート変換器１２−１〜１２−Ｎで分割伝送されるＴＳ速度に変換される。ＴＳ速度変換後のＴＳをＴＳ−１'〜ＴＳ−Ｎ'とする。
ＴＳ−１'〜ＴＳ−Ｎ'はそれぞれデジタル速度変換器１３−１〜１３−ＮでＴＳパケット伝送を行うため、時間調整が行われる。時間調整後のＴＳをＴＳ−１''〜ＴＳ−Ｎ''とする。
【００１１】
分割情報発生部１４では伝送に用いる伝送チャネルの搬送波周波数、変調型式、シンボルレート、誤り訂正の内符号及び外符号、フレーム型式をはじめとする物理情報と分割した順序をはじめとする分割情報とを発生する。
【００１２】
時間調整後のＴＳ−１''〜ＴＳ−Ｎ''および、分割情報発生部１４で生成された物理情報及び分割情報とをＴＳパケット多重器１５−１〜１５−Ｎで多重化される。多重化されたＴＳをＴＳ−１'''〜ＴＳ−Ｎ'''とする。
【００１３】
多重化されたＴＳ−１'''〜ＴＳ−Ｎ'''はそれぞれ伝送チャネルで伝送できるよう伝送信号送信変換器１６−１〜１６−Ｎで信号変換され、伝送チャネル３を通し伝送される。信号変換の方法としてはＱＡＭ変調をはじめとするデジタル変調が挙げられ、使用する伝送チャネル３が同軸ケーブルなどの場合には異なる周波数を用い周波数多重を行うことで１本のケーブルに複数の伝送チャネルを確保することも可能である。
【００１４】
トランスポートストリームパケットの処理の例を図２、図３に示す。図２はトランスポートストリーム送信装置２で高速のトランスポートストリームを３本の伝送チャネルで伝送する例で、図３は３本の伝送チャネルで分割伝送された信号をトランスポートストリーム受信装置４で元の高速トランスポートストリームに戻す処理の例を示す。
【００１５】
さらに、４１はＭＰＥＧ−ＴＳパケットの同期バイト、４２はＭＰＥＧ−ＴＳパケットのＭＰＥＧデータなど、４３は誤り訂正符号、４４は高速ＭＰＥＧ−ＴＳパケット列、４５ａ〜４５ｃはＴＳパケット分離部１１で分割されたＴＳ、４６ａ〜４６ｃはＴＳレート変換部１２でレートを変換されたＴＳ、４７ａ〜４７ｃはデジタル速度変換部１３で速度変換されたＴＳ、４８ａ〜４８ｃはＴＳパケット多重部１５でデータ挿入されたＴＳ、５０ａ〜５０ｃは伝送信号受信変換部２２で変換されたＴＳ、５１ａ〜５１ｃは分割情報除去部２４で挿入データを除去されたＴＳ、５２ａ〜５２ｃはＴＳレート変換部２５でレートを変換されたＴＳ、５３ａ〜５３ｃはデジタル速度変換部２６で速度変換されたＴＳ、５４はＴＳパケット多重部２７で多重化されたＴＳをそれぞれ示す。
【００１６】
トランスポートストリームパケットは同期バイト４１（１バイト）、ＭＰＥＧデータ等４２（１８７バイト）、および訂正符号４３（１６バイト）で構成される。高速ＭＰＥＧ−ＴＳ信号源１で発生する高速のトランスポートストリーム４４はトランスポートストリームパケット列として構成されており、各々のＭＰＥＧデータ等に相当する部分に映像、音声をはじめとするデータが埋め込まれる。
【００１７】
高速のトランスポートストリーム４４は３本の伝送チャネルで分割伝送するため、ＴＳパケット分離部１１にてＴＳパケット単位で分割され分割されたＴＳ信号となる。
分割されたＴＳ信号４５ａ、４５ｂ、４５ｃはそれぞれ伝送チャネルの伝送速度に応じたＴＳ速度にＴＳレート変換部１２で変換される。変換されたそれぞれのＴＳは４６ａ、４６ｂ、４６ｃで示される。
【００１８】
ＴＳ速度を変換されたＴＳ４６ａ、４６ｂ、４６ｃはさらにそれぞれＴＳパケット列を構成できるようにデジタル速度変換部１３で時間調整が行われる。時間調整が行われたＴＳ信号は４７ａ、４７ｂ、４７ｃで示される。
【００１９】
時間調整が行われたＴＳ信号４７ａ、４７ｂ、４７ｃでは、例えば「データ１」と「データ４」の間や「データ２」と「データ５」の間にトランスポートストリームパケットが入る時間的な区間があり、この区間に分割情報発生部１４で発生した物理情報と分割情報とをトランスポートストリームパケット形式により挿入データとしてＴＳパケット多重部１５で多重される。多重されたＴＳ信号は４８ａ、４８ｂ、４８ｃで示され、これらの信号は伝送信号送信変換部１６で伝送チャネルで伝送できる信号に変換され、伝送チャネル３に送出される。
【００２０】
以上で示されるように、トランスポートストリームを分割して複数の伝送チャネルで伝送するに際し、トランスポートストリーム送出装置２で分割した各チャネルのトランスポートストリームに分割の順序の情報を挿入データとして挿入するため、トランスポートストリーム受信装置では挿入データをに含まれる分割の順序の情報を取り出し、その情報に基づき各伝送チャネルのトランスポートストリームを多重化し、元のトランスポートストリームに自動的に復元することが出来る。
【００２１】
［発明実施の形態２］
本実施の形態のトランスポートストリーム送信装置は、伝送に用いる第１の伝送チャネルの搬送波周波数、変調型式、シンボルレート、誤り訂正の内符号及び外符号、フレーム型式をはじめとする物理情報を符号化し、第２以降の伝送チャネルに対しては上記物理情報の一部又は全部を符号化し、符号化の記述の順序で分割したトランスポートストリームの伝送チャネルヘの振り分け順序の情報としてトランスポートストリームパケット形式で送信信号に挿入する挿入手段を具備したものである。その他の点については実施の形態１と同様である。
【００２２】
情報の具体的な発生方法の例として、ＭＰＥＧ２システム（ＩＴＵ−Ｔ  Ｈ．２２２．０、ＩＳＯ／ＩＥＣ１３８１８−１）を元に作られた社団法人電波産業会の定める標準規格「デジタル放送に使用する番組配列情報」（ＡＲＩＢ  ＳＴＤ−Ｂ１０）や社団法人日本ＣＡＴＶ技術協会の定める「デジタル有線テレビジョン放送番組配列情報の構成及び識別子の運用基準」（ＪＣＴＥＡ  ｓｔｄ−００３−２．０）の番組配列情報の体系に図４（ａ）で示す構造の新しい記述子、複数搬送波分配システム記述子を図４（ｂ）の対応で上記物理情報及び分割順序情報を発生することが出来る。
【００２３】
［発明実施の形態３］
本実施の形態のトランスポートストリーム送信装置は、伝送に用いる第１の伝送チャネルの搬送波周波数、変調型式、シンボルレート、誤り訂正の内符号及び外符号、フレーム形式をはじめとする物理情報および第２以降の伝送チャネルがあるかの情報を符号化し、第２以降の伝送チャネルがある場合にはその数と上記物理情報の一部又は全部の情報とを符号化し、符号化の記述の順序で分割したトランスポートストリームの伝送チャネルヘの振り分け順序の情報としてトランスポートストリームパケット形式で送信信号に挿入する挿入手段を具備したものである。その他の点については実施の形態１と同様である。
【００２４】
情報の具体的な発生方法の例として、ＭＰＥＧ２システム（ＩＴＵ−Ｔ  Ｈ．２２２．０、ＩＳＯ／ＩＥＣ  １３８１８−１）を元に作られた社団法人電波産業会の定める標準規格「デジタル放送に使用する番組配列情報」（ＡＲＩＢ  ＳＴＤ−Ｂ１０）や社団法人日本ＣＡＴＶ技術協会の定める「デジタル有線テレビジョン放送番組配列情報の構成及び識別子の運用基準」（ＪＣＴＥＡ  ｓｔｄ−００３−２．０）の番組配列情報の体系に図５（ａ）で示す構造に改善を施したケーブル分配システム記述子に図５（ｂ）の対応で上記物理情報及び分割順序情報を発生することが出来る。
【００２５】
［発明実施の形態４］
本実施の形態のトランスポートストリーム送信装置は、伝送に用いる第１の伝送チャネルの搬送は周波数、変調型式、シンボルレート、誤り訂正の内符号及び外符号、フレーム型式をはじめとする物理情報および次に続く伝送チャネルがあるかの情報を符号化し、続くチャネルがある場合には上記物理情報の一部又は全部の情報及びさらに続く伝送チャネルがあるかの情報とを符号化しこれを伝送に使用するチャネル全てに繰り返し、符号化の記述の順序で分割したトランスポートストリームの伝送チャネルヘの振り分け順序の情報としてトランスポートストリームパケット形式で送信信号に挿入する挿入手段を具備したものである。その他の点については実施の形態１と同様である。
【００２６】
情報の具体的な発生方法の例として、ＭＰＥＧ２システム（ＩＴＵ−Ｔ  Ｈ．２２２．０、ＩＳＯ／ＩＥＣ  １３８１８−１）を元に作られた社団法人電波産業会の定める標準規格「デジタル放送に使用する番組配列情報」（ＡＲＩＢ  ＳＴＤ−Ｂ１０）や社団法人日本ＣＡＴＶ技術協会の定める「デジタル有線テレビジョン放送番組配列情報の構成及び識別子の運用基準」（ＪＣＴＥＡ  ｓｔｄ−００３−２．０）の番組配列情報の体系に図６（ａ）で示す構造に改善したケーブル分配システム記述子を図６（ｂ）の対応で上記物理情報及び分割順序情報を発生することが出来る。
【００２７】
［発明実施の形態５］
本実施の形態のトランスポートストリーム送信装置は、伝送に用いる各伝送チャネルの搬送波周波数、変調型式、シンボルレート、誤り訂正の内符号及び外符号、フレーム型式をはじめとする物理情報及び各伝送チャネルの物理情報の一部を羅列して記述しその記述の順序で分割したトランスポートストリームの伝送チャネルヘの振り分け順序を表す情報をトランスポートストリームパケット形式で送信信号に挿入する挿入手段を具備したものである。その他の点については実施の形態１と同様である。
【００２８】
情報の具体的な発生方法の例として、ＭＰＥＧ２システム（ＩＴＵ−Ｔ  Ｈ．２２２．０、ＩＳＯ／ＩＥＣ  １３８１８−１）を元に作られた社団法人電波産業会の定める標準規格「デジタル放送に使用する番組配列情報」（ＡＲＩＢ  ＳＴＤ−Ｂ１０）や社団法人日本ＣＡＴＶ技術協会の定める「デジタル有線テレビジョン放送番組配列情報の構成及び識別子の運用基準」（ＪＣＴＥＡ  ｓｔｄ−００３−２．０）の番組配列情報の体系のケーブル分配システム記述子及び図７（ａ）で示す構造の新しい記述子、複数搬送波リンク記述子を図７（ｂ）の対応で上記物理情報及び分割順序情報を発生することが出来る。
【００２９】
［発明実施の形態６］
本実施の形態のトランスポートストリーム送信装置は、伝送に用いる各伝送チャネルの搬送波周波数、変調型式、シンボルレート、誤り訂正の内符号及び外符号、フレーム型式をはじめとする物理情報及びそれぞれの伝送チャネルの識別を符号化した符号と、分割したトランスポートストリームの伝送チャネルへの振り分け順序の情報を識別の符号の記述の順序で表した符号列をトランスポートストリームパケット形式で送信信号に挿入する挿入手段を具備したものである。その他の点については実施の形態１と同様である。
【００３０】
情報の具体的な発生方法の例として、ＭＰＥＧ２システム（ＩＴＵ−Ｔ  Ｈ．２２２．０、ＩＳＯ／ＩＥＣ  １３８１８−１）を元に作られた社団法人電波産業会の定める標準規格「デジタル放送に使用する番組配列情報」（ＡＲＩＢ  ＳＴＤ−Ｂ１０）や社団法人日本ＣＡＴＶ技術協会の定める「デジタル有線テレビジョン放送番組配列情報の構成及び識別子の運用基準」（ＪＣＴＥＡ  ｓｔｄ−００３−２．０）の番組配列情報の体系に図８（ａ）で示す構造に改善したケーブル分配システム記述子を図８（ｂ）に対応させると共に、図９（ａ）で示す構造の新しい記述子、複数搬送波リンク記述子を図９（ｂ）に対応させることで上記物理情報及び分割順序情報を発生することが出来る。
【００３１】
［発明実施の形態７］
本実施の形態のトランスポートストリーム送信装置は、伝送に用いる伝送チャネルの数の情報と、各伝送チャネルの搬送波周波数、変調型式、シンボルレート、誤り訂正の内符号及び外符号、フレーム型式をはじめとする物理情報及びその分割順序の情報とを、符号化しトランスポートストリームパケット形式で送信信号に挿入する挿入手段を具備したものである。その他の点については実施の形態１と同様である。
【００３２】
情報の具体的な発生方法の例として、ＭＰＥＧ２システム（ＩＴＵ−Ｔ  Ｈ．２２２．０、ＩＳＯ／ＩＥＣ  １３８１８−１）を元に作られた社団法人電波産業会の定める標準規格「デジタル放送に使用する番組配列情報」（ＡＲＩＢ  ＳＴＤ−Ｂ１０）や社団法人日本ＣＡＴＶ技術協会の定める「デジタル有線テレビジョン放送番組配列情報の構成及び識別子の運用基準」（ＪＣＴＥＡ  ｓｔｄ−００３−２．０）の番組配列情報の体系に図１０（ａ）で示す構造の新しい記述子、複数搬送波リンク記述子を図１０（ｂ）の対応付けをすると共に、ネットワークインフォメーションテーブルを図１１で示す構造に改善し、図１１（ｂ）の対応で上記物理情報及び分割順序情報を発生することが出来る。
【００３３】
また、他の例として上記の体系に図１２（ａ）及び図１３（ａ）で示す構造の新しい記述子、複数搬送波リンク記述子及び複数のケーブル分配システム記述子を図１２（ｂ）及び図１３（ｂ）の対応で上記物理情報及び分割順序情報を発生することが出来る。
【００３４】
［発明実施の形態８］
本実施の形態のトランスポートストリーム送信装置は、伝送に用いる伝送チャネルの数の情報と、各伝送チャネルの搬送波周波数、変調型式、シンボルレート、誤り訂正の内符号及び外符号、フレーム型式をはじめとする物理情報及びその分割順序の情報及びそのチャネルが最終のチャネルであるか否かを示す情報とを、符号化しトランスポートストリームパケット形式で送信信号に挿入する挿入手段を具備したものである。その他の点については実施の形態１と同様である。
【００３５】
情報の具体的な発生方法の例として、ＭＰＥＧ２システム（ＩＴＵ−Ｔ  Ｈ．２２２．０、ＩＳＯ／ＩＥＣ  １３８１８−１）を元に作られた社団法人電波産業会の定める標準規格「デジタル放送に使用する番組配列情報」（ＡＲＩＢ  ＳＴＤ−Ｂ１０）や社団法人日本ＣＡＴＶ技術協会の定める「デジタル有線テレビジョン放送番組配列情報の構成及び識別子の運用基準」（ＪＣＴＥＡ  ｓｔｄ−００３−２．０）の番組配列情報の体系に図１４（ａ）で示す構造に改善したネットワークインフォメーションテーブルを図１４（ｂ）の対応で上記物理情報及び分割順序情報を発生することが出来る。
【００３６】
また、他の例として上記の体系に図１５（ａ）で示す構造に改善したケーブル分配システム記述子を図１５（ｂ）の対応で上記物理情報及び分割順序情報を発生することが出来る。
【００３７】
［発明実施の形態９］
本実施の形態のトランスポートストリーム送信装置は、伝送に用いる伝送チャネルの数の情報を符号化しトランスポートストリームパケット形式で送信信号に挿入すると共にフレーム形式のヘッダ部に分割順序の情報を挿入する挿入手段を具備したものである。その他の点については実施の形態１と同様である。
【００３８】
情報の具体的な発生方法の例として、ＭＰＥＧ２システム（ＩＴＵ−Ｔ  Ｈ．２２２．０、ＩＳＯ／ＩＥＣ  １３８１８−１）を元に作られた社団法人電波産業会の定める標準規格「デジタル放送に使用する番組配列情報」（ＡＲＩＢ  ＳＴＤ−Ｂ１０）や社団法人日本ＣＡＴＶ技術協会の定める標準規格「デジタル有線テレビジョン放送番組配列情報の構成及び識別子の運用基準」（ＪＣＴＥＡ  ｓｔｄ−００３−２．０）の番組配列情報の体系に図１６（ａ）で示す構造の新しい記述子、複数搬送波リンク記述子を図１６（ｂ）の対応及び社団法人日本ＣＡＴＶ技術協会の定める標準規格「デジタル有線テレビジョン放送多重化装置」（ＪＣＴＥＡ  ｓｔｄ−００２−２．０）の多重フレームヘッダを図１７（ａ）、図１７（ｂ）による改善で上記物理情報及び分割順序情報を発生することが出来る。
【００３９】
［発明実施の形態１０］
本実施の形態のトランスポートストリーム送信装置は、元のトランスポートストリームの分割を行なうが、各伝送チャネルのフレーム形式のヘッダ部に分割順序の次の順序に相当するチャネルの搬送波周波数、変調型式、シンボルレート、誤り訂正の内符号及び外符号、フレーム型式をはじめとする物理情報のうちその一部の情報を挿入する挿入手段を具備したものである。その他の点については実施の形態１と同様である。
【００４０】
情報の具体的な発生方法の例として、ＭＰＥＧ２システム（ＩＴＵ−Ｔ  Ｈ．２２２．０、ＩＳＯ／ＩＥＣ  １３８１８−１）を元に作られた社団法人日本ＣＡＴＶ技術協会の定める標準規格「デジタル有線テレビジョン放送多重化装置」（ＪＣＴＥＡ  ｓｔｄ−００２−２．０）の多重フレームヘッダの符号体系に図１８（ａ）で示す構造を改善し、図１８（ｂ）の対応で上記物理情報及び分割順序情報を発生することが出来る。
【００４１】
［発明実施の形態１１］
本実施の形態のトランスポートストリーム送信装置は、伝送に用いる伝送チャネルの搬送波周波数、変調型式、シンボルレート、誤り訂正の内符号及び外符号、フレーム型式をはじめとする物理情報及びその識別の情報とを、符号化しトランスポートストリームパケット形式で送信信号に挿入する挿入手段と共に各伝送チャネルのフレーム構造のヘッダ部に分割順序の次に相当する伝送チャネルの識別情報を挿入する挿入手段を具備したものである。その他の点については実施の形態１と同様である。
【００４２】
情報の具体的な発生方法の例として、ＭＰＥＧ２システム（ＩＴＵ−Ｔ  Ｈ．２２２．０、ＩＳＯ／ＩＥＣ  １３８１８−１）を元に作られた社団法人電波産業会の定める標準規格「デジタル放送に使用する番組配列情報」（ＡＲＩＢ  ＳＴＤ−Ｂ１０）や社団法人日本ＣＡＴＶ技術協会の定める標準規格「デジタル有線テレビジョン放送番組配列情報の構成及び識別子の運用基準」（ＪＣＴＥＡ  ｓｔｄ−００３−２．０）の番組配列情報の体系に図１９（ａ）で示す構造にケーブル分配システム記述子を改善し、図１９（ｂ）の対応付けを行うとともに、社団法人日本ＣＡＴＶ技術協会の定める標準規格「デジタル有線テレビジョン放送多重化装置」（ＪＣＴＥＡ  ｓｔｄ−００２−２．０）の多重フレームヘッダの図２０（ａ）、図２０（ｂ）による改善で上記物理情報及び分割順序情報を発生することが出来る。
【００４３】
［発明実施の形態１２］
本実施の形態のトランスポートストリーム受信機は、複数の伝送チャネルで送られるトランスポートストリームパケットの中から、分割した順序の情報とを抜き出す弁別手段と、それらの情報に基づき伝送元のトランスポートストリームパケット列に再合成する多重手段を具備したものである。以下、図１、図２及び図３に基づき詳細に説明する。図１のトランスポートストリーム受信装置では各伝送チャネルで伝送されてきた伝送信号は伝送チャネル選択器２１−１〜２１−Ｎでそれぞれ選択され、伝送信号受信変換器２２−１〜２２−Ｎで信号変換されそれぞれＴＳ信号となる。これらのＴＳ信号は３本の伝送チャネルを用いる場合には図３の５０ａ、５０ｂ、５０ｃで示されるようになり、送信側の分割情報発生部１４で生成された物理情報及び分割情報とをＴＳパケット多重部１５でそれぞれ多重化された信号と同じであり、ＴＳ−１'''〜ＴＳ−Ｎ'''となる。
【００４４】
伝送信号受信変換器２２−１〜２２−Ｎで信号変換された信号ＴＳ−１'''〜ＴＳ−Ｎ'''は分割情報受信制御器２３−１〜２３−Ｎで物理情報及び分割情報とを抜き出され、伝送チャネル選択部２１、伝送信号受信変換器２２およびＴＳパケット多重部２７への制御信号を作り出すと共に分割情報除去器２４−１〜２４−Ｎに対し送信側で挿入したＴＳパケット形式の物理情報及び分割情報を含む挿入データを除去する制御信号を作り出す。
【００４５】
伝送信号受信変換器２２−１〜２２−Ｎで信号変換された信号ＴＳ−１'''〜ＴＳ−Ｎ'''は分割情報受信制御器２３−１〜２３−Ｎに入力し上記の各制御信号を作り出されると共に分割情報除去器２４−１〜２４−Ｎに入力し、送信側で挿入した物理情報及び分割情報を含む挿入データが除去される。除去された信号は３本の伝送チャネルを用いる場合には図３の５１ａ、５１ｂ、５１ｃで示されるようになり、これは送信側で時間調整後のＴＳ、ＴＳ−１''〜ＴＳ−Ｎ''と同じ信号となる。
【００４６】
分割情報除去器２４−１〜２４−Ｎで物理情報及び分割情報を含む挿入データが除去されたＴＳ信号ＴＳ−１''〜ＴＳ−Ｎ''はＴＳレート変換器２５−１〜２５−Ｎで元のＴＳ速度に戻される。ＴＳ速度に戻されたＴＳ信号はこれをＴＳ−１''''〜ＴＳ−Ｎ''''とし、３本の伝送チャネルを用いる場合には図３の５２ａ、５２ｂ、５２ｃで示されるようになる。
【００４７】
ＴＳ速度変換後のＴＳ、ＴＳ−１''''〜ＴＳ−Ｎ''''はそれぞれデジタル速度変換器２６−１〜２６−ＮでＴＳパケット伝送を行うため、時間調整が行われる。時間調整後のＴＳ信号はＴＳ−１'''''〜ＴＳ−Ｎ'''''とし、３本の伝送チャネルを用いる場合には図３の５３ａ、５３ｂ、５３ｃで示されるようになる。
【００４８】
時間調整後のＴＳをＴＳ−１'''''〜ＴＳ−Ｎ'''''はＴＳパケット多重部２７で多重化され分割前の元のＴＳ信号に戻される。元に戻されたＴＳ信号は３本の伝送チャネルを用いる場合には図３の５４の様になり、受信側の他の機器に出力し、あるいはＭＰＥＧＴＳパケット分離部２８に送られる。
【００４９】
元に戻されたＴＳ信号はＭＰＥＧ−ＴＳパケット分離部２８で選択する番組の映像、音声をはじめとするパケットを選別し、ＭＰＥＧビデオデコーダ２９およびＭＰＥＧオーディオデコーダ３０にＭＰＥＧパケットを送出する。
映像、音声のパケットはＭＰＥＧビデオデコーダ、ＭＰＥＧオーディオデコーダで映像および音声に変換され、表示装置５で番組を映出する。
【００５０】
以上で示されるように、トランスポートストリーム送出装置２でトランスポートストリームを分割し複数の伝送チャネルで伝送するに際し、分割した各チャネルのトランスポートストリームに分割の順序の情報を挿入した挿入データにより、トランスポートストリーム受信装置４で挿入データに含まれる分割の順序の情報を取り出し、その情報に基づき各伝送チャネルのトランスポートストリームを多重化し、元のトランスポートストリームに自動的に復元することが出来る。
【００５１】
［発明実施の形態１３］
本実施の形態のトランスポートストリーム受信装置は、複数の伝送チャネルで送られるトランスポートストリームパケット列の中から、符号化されその中に含まれる伝送に用いる第１の伝送チャネルの搬送波周波数、変調型式、シンボルレート、誤り訂正の内符号及び外符号、フレーム型式をはじめとする物理情報と、第２以降の伝送チャネルに対しては上記物理情報の一部又は全部と、符号化の記述の順序で分割したトランスポートストリームの伝送チャネルヘの振り分け順序との情報を抜き出す弁別手段と、それらの情報に基づき伝送元のトランスポートストリームパケット列に再合成する多重手段を具備する。その他の点については実施の形態１２と同様である。
【００５２】
伝送信号受信変換器２２−１〜２２−Ｎで信号変換された信号ＴＳ−１'''、ＴＳ−Ｎ'''は送信側で挿入した物理情報及び分割情報が記述されている。記述の方法としては、例えば、ＭＰＥＧ２システム（ＩＴＵ−Ｔ  Ｈ．２２２．０、ＩＳＯ／ＩＥＣ  １３８１８−１）を元に作られた社団法人電波産業会の定める標準規格「デジタル放送に使用する番組配列情報」（ＡＲＩＢ  ＳＴＤ−Ｂ１０）ないし社団法人日本ＣＡＴＶ技術協会の定める「デジタル有線テレビジョン放送番組配列情報の構成及び識別子の運用基準」（ＪＣＴＥＡ  ＳＴＤ−００３−２．０）の番組配列情報の体系を改良し、図４（ｂ）の情報と符号化の対応により、図４（ａ）で示す構造の新しい記述子、複数搬送波分配システム記述子の形の記述が１つの例としてあげられる。
【００５３】
［発明実施の形態１４］
本実施の形態のトランスポートストリーム受信装置は、複数の伝達チャネルで送られるトランスポートストリームパケット列の中から、符号化されその中に含まれる伝送に用いる第１の伝送チャネルの搬送波周波数、変調型式、シンボルレート、誤り訂正の内符号及び外符号、フレーム型式をはじめとする物理情報および第２以降の伝送チャネルがあるかの情報と、第２以降の伝送チャネルがある場合にはその数と上記物理情報の一部又は全部の情報とを符号化し、符号化の記述の順序で分割したトランスポートストリームの伝送チャネルヘの振り分け順序の情報を抜き出す弁別手段と、それらの情報に基づき伝送元のトランスポートストリームパケット列に再合成する多重手段を具備する。その他の点については実施の形態１２と同様である。
【００５４】
伝送信号受信変換器２２−１〜２２−Ｎで信号変換された信号ＴＳ−１'''〜ＴＳ−Ｎ'''は送信側で挿入した物理情報及び分割情報が記述されている。記述の方法としては、例えば、ＭＰＥＧ２システム（ＩＴＵ−Ｔ  Ｈ．２２２．０、ＩＳＯ／ＩＥＣ  １３８１８−１）を元に作られた社団法人電波産業会の定める標準規格「デジタル放送に使用する番組配列情報」（ＡＲＩＢ  ＳＴＤ−Ｂ１０）ないし社団法人日本ＣＡＴＶ技術協会の定める「デジタル有線テレビジョン放送番組配列情報の構成及び識別子の運用基準」（ＪＣＴＥＡ  ＳＴＤ−００３−２．０）の番組配列情報の体系を改良し、図５（ｂ）の情報と符号化の対応により、図５（ａ）で示す構造に改善したケーブル分配システム記述子の形の記述が１つの例としてあげられる。
【００５５】
［発明実施の形態１５］
本実施の形態のトランスポートストリーム受信装置は、複数の伝送チャネルで送られるトランスポートストリームパケット列の中から、符号化されその中に含まれる伝送に用いる第１の伝送チャネルの搬送波周波数、変調型式、シンボルレート、誤り訂正の内符号及び外符号、フレーム型式をはじめとする物理情報および次に続く伝送チャネルがあるかを符号化された情報を、続くチャネルがある場合には上記物理情報の一部又は全容の情報及びさらに続く伝送チャネルがあるかを符号化された情報とこれを伝送に使用するチャネル全てに繰り返し、符号化の記述の順序で分割したトランスポートストリームの伝送チャネルヘの振り分け順序の情報を抜き出す弁別手段と、それらの情報に基づき伝送元のトランスポートストリームパケット列に再合成する多重手段を具備する。その他の点については実施の形態１２と同様である。
【００５６】
伝送信号受信変換器２２−１〜２２−Ｎで信号変換された信号ＴＳ−１'''〜ＴＳ−Ｎ'''は送信側で挿入した物理情報及び分割情報が記述されている。記述の方法としては、例えば、ＭＰＥＧ２システム（ＩＴＵ−Ｔ  Ｈ．２２２−０、ＩＳＯ／ＩＥＣ  １３８１８−１）を元に作られた社団法人電波産業会の定める標準規格「デジタル放送に使用する番組配列情報」（ＡＲＩＢ  ＳＴＤ−Ｂ１０）ないし社団法人日本ＣＡＴＶ技術協会の定める「デジタル有線テレビジョン放送番組配列情報の構成及び識別子の運用基準」（ＪＣＴＥＡ  ＳＴＤ−００３−２．０）の番組配列情報の体系を改良し、図６（ｂ）の情報と符号化の対応により、図６（ａ）で示す構造のケーブル分配システム記述子の形の記述が１つの例としてあげられる。
【００５７】
［発明実施の形態１６］
本実施の形態のトランスポートストリーム受信装置は、複数の伝送チャネルで送られるトランスポートストリームパケット列の中から、符号化されその中に含まれる伝送に用いる各伝送チャネルの搬送波周波数、変調型式、シンボルレート、誤り訂正の内符号及び外符号、フレーム型式をはじめとする物理情報及び各伝送チャネルの物理情報の一部を羅列して記述しその記述の順序で分割したトランスポートストリームの伝送チャネルへの振り分け順序を表す情報を抜き出す弁別手段と、それらの情報に基づき伝送元のトランスポートストリームパケット列に再合成する多重手段を具備する。その他の点については実施の形態１２と同様である。
【００５８】
伝送信号受信変換器２２−１〜２２−Ｎで信号変換された信号ＴＳ−１'''〜ＴＳ−Ｎ'''は送信側で挿入した物理情報及び分割情報が記述されている。記述の方法としては、例えば、ＭＰＥＧ２システム（ＩＴＵ−ＴＨ．２２２．０、ＩＳＯ／ＩＥＣ  １３８１８−１）を元に作られた社団法人電波産業会の定める標準規格「デジタル放送に使用する番組配列情報」（ＡＲＩＢ  ＳＴＤ−Ｂ１０）ないし社団法人日本ＣＡＴＶ技術協会の定める「デジタル有線テレビジョン放送番組配列情報の構成及び識別子の運用基準」（ＪＣＴＥＡ  ｓｔｄ−００３−２．０）の番組配列情報の体系を改良し、図７（ｂ）の情報と符号化の対応により、図７（ａ）で示す構造の新しい記述子、複数搬送波リンク記述子の形の記述及びケーブル分配システム記述子の併用が１つの例としてあげられる。
【００５９】
［発明実施の形態１７］
本実施の形態のトランスポートストリーム受信装置は、複数の伝送チャネルで送られるトランスポートストリームパケット列の中から、符号化されその中に含まれる伝送に用いる各伝送チャネルの搬送波周波数、変調型式、シンボルレート誤り訂正の内符号及び外符号、フレーム型式をはじめとする物理情報及び符号化されたそれぞれの伝送チャネルの識別の情報と、識別の符号の記述の順序で表した分割したトランスポートストリームの伝送チャネルへの振り分け順序の情報を抜き出す弁別手段と、それらの情報に基づき伝送元のトランスポートストリームパケット列に再合成する多重手段を具備する。その他の点については実施の形態１２と同様である。
【００６０】
伝送信号受信変換器２２−１〜２２−Ｎで信号変換された信号ＴＳ−１'''〜ＴＳ−Ｎ'''は送信側で挿入した物理情報及び分割情報が記述されている。記述の方法としては、例えば、ＭＰＥＧ２システム（ＩＴＵ−ＴＨ．２２２．０、ＩＳＯ／ＩＥＣ  １３８１８−１）を元に作られた社団法人電波産業会の定める標準規格「デジタル放送に使用する番組配列情報」（ＡＲＩＢ  ＳＴＤ−Ｂ１０）ないし社団法人日本ＣＡＴＶ技術協会の定める「デジタル有線テレビジョン放送番組配列情報の構成及び識別子の運用基準」（ＪＣＴＥＡ  ＳＴＤ−００３−２．０）の番組配列情報の体系を改良し、図８（ｂ）の情報と符号化の対応による図８（ａ）で示す構造に改善したケーブル分配システム記述子の形の記述及び図９（ｂ）の情報と符号化の対応による図９（ａ）で示す構造の新しい記述子、複数搬送波リンク記述子による記述の併用が１つの例としてあげられる。
【００６１】
［発明実施の形態１８］
本実施の形態のトランスポートストリーム受信装置は、複数の伝送チャネルで送られるトランスポートストリームパケット列の中から、符号化されその中に含まれる伝送チャネルの数の情報と、各伝送チャネルの搬送波周波数、変調形式、シンボルレート、誤り訂正の内符号及び外符号、フレーム形式をはじめとする物理情報及びその分割順序の情報を抜き出す弁別手段と、それらの情報に基づき伝送元のトランスポートストリームパケット列に再合成する多重手段を具備する。
その他の点については実施の形態１２と同様である。
【００６２】
伝送信号受信変換器２２−１〜２２−Ｎで信号変換された信号ＴＳ−１'''〜ＴＳ−Ｎ'''は送信側で挿入した物理情報及び分割情報が記述されている。記述の方法としては、例えば、ＭＰＥＧ２システム（ＩＴＵ−Ｔ  Ｈ．２２２．０、ＩＳＯ／ＩＥＣ  １３８１８−１）を元に作られた社団法人電波産業会の定める標準規格「デジタル放送に使用する番組配列情報」（ＡＲＩＢ  ＳＴＤ−Ｂ１０）ないし社団法人日本ＣＡＴＶ技術協会の定める「デジタル有線テレビジョン放送番組配列情報の構成及び識別子の運用基準」（ＪＣＴＥＡ  ＳＴＤ−００３−２．０）の番組配列情報の体系を改良し、図１０（ｂ）の情報と符号化の対応による図１０（ａ）で示す構造の新しい記述子、複数搬送波リンク記述子の形の記述及び図１１（ｂ）の情報と符号化の対応による図１１（ａ）で示す構造に改善したネットワークインフォメーションテーブルによる記述の併用が１つの例としてあげられる。
【００６３】
情報の記述の別例として、図１２（ｂ）の情報と符号化の対応による図１２（ａ）で示す構造の新しい記述子、複数搬送波リンク記述子の形の記述及び図１３（ｂ）の情報と符号化の対応による図１３（ａ）で示す構造のケーブル分配システム記述子による記述の併用があげられる。
【００６４】
［発明実施の形態１９］
本実施の形態のトランスポートストリーム受信装置は、複数の伝送チャネルで送られるトランスポートストリームパケット列の中から、符号化されその中に含まれる伝送に用いる伝送チャネルの数の情報と、各伝送チャネルの搬送波周波数、変調型式、シンボルレート、誤り訂正の内符号及び外符号、フレーム型式をはじめとする物理情報及びその分割順序の情報及びそのチャネルが最終のチャネルであるか否かを示す情報を抜き出す弁別手段と、それらの情報に基づき伝送元のトランスポートストリームパケット列に再合成する多重手段を具備する。その他の点については実施の形態１２と同様である。
【００６５】
伝送信号受信変換器２２−１〜２２−Ｎで信号変換された信号ＴＳ−１'''〜ＴＳ−Ｎ'''は送信側で挿入した物理情報及び分割情報が記述されている。記述の方法としては、例えば、ＭＰＥＧ２システム（ＩＴＵ−ＴＨ．２２２．０、ＩＳＯ／ＩＥＣ  １３８１８−１）を元に作られた社団法人電波産業会の定める標準規格「デジタル放送に使用する番組配列情報」（ＡＲＩＢ  ＳＴＤ−Ｂ１０）ないし社団法人日本ＣＡＴＶ技術協会の定める「デジタル有線テレビジョン放送番組配列情報の構成及び識別子の運用基準」（ＪＣＴＥＡ  ＳＴＤ−００３−２．０）の番組配列情報の体系を改良し、図１４（ｂ）の情報と符号化の対応により、図１４（ａ）で示す構造でのインフォメーションネットワークテーブルの形に改良した記述が１つの例としてあげられる。
情報の記述の別例として、図１５（ｂ）の情報と符号化の対応により、図１５（ａ）で示す構造にケーブル分配システム記述子を改良した記述を構成する方法があげられる。
【００６６】
［発明実施の形態２０］
本実施の形態のトランスポートストリーム受信装置は、複数の伝送チャネルで送られるトランスポートストリームパケット列の中から、符号化されその中に含まれる伝送に用いる伝送チャネルの数の情報と、フレーム形式のヘッダ部に含まれる分割順序の情報を抜き出す弁別手段と、それらの情報に基づき伝送元のトランスポートストリームパケット列に再合成する多重手段を具備する。その他の点については実施の形態１２と同様である。
【００６７】
伝送信号受信変換器２２−１〜２２−Ｎで信号変換された信号ＴＳ−１'''〜ＴＳ−Ｎ'''は送信側で挿入した物理情報及び分割情報が記述されている。記述の方法としては、例えば、ＭＰＥＧ２システム（ＩＴＵ−Ｔ  Ｈ．２２２．０、ＩＳＯ／ＩＥＣ  １３８１８−１）を元に作られた社団法人電波産業会の定める標準規格「デジタル放送に使用する番組配列情報」（ＡＲＩＢ  ＳＴＤ−Ｂ１０）や社団法人日本ＣＡＴＶ技術協会の定める「デジタル有線テレビジョン放送番組配列情報の構成及び識別子の運用基準」（ＪＣＴＥＡ  ＳＴＤ−００３−２．０）の番組配列情報の体系に改良を加え、図１６（ｂ）の情報と符号化のそれぞれの対応により、図１６（ａ）で示す構造の新しい記述子、複数撒送波リンク記述子の記述及び、社団法人日本ＣＡＴＶ技術協会の定める標準規格「デジタル有線テレビジョン放送多重化装置」（ＪＣＴＥＡ  ＳＴＤ−００２−２．０）の改良による図１７（ｂ）の情報と符号化の対応により、図１７（ａ）で示す構造の多重フレームヘッダによる記述の併用が一つの例としてあげられる。
【００６８】
［発明実施の形態２１］
本実施の形態のトランスポートストリーム受信装置は、複数の伝送チャネルで送られるトランスポートストリームパケット列の中から、符号化されその中に含まれる送信側で行った元のトランスポートストリームの分割に関し各伝送チャネルのフレーム形式のヘッダ部に含まれる分割順序の次の順序を示す、チャネルの搬送波周波数、変調形式、シンボルレート、誤り訂正の内符号及び外符号、フレーム型式をはじめとする物理情報のうちその一部の情報を抜き出す弁別手段と、それらの情報に基づき伝送元のトランスポートストリームパケットに再合成する多重手段を具備する。その他の点については実施の形態１２と同様である。
【００６９】
伝送信号受信変換器２２−１〜２２−Ｎで信号変換された信号ＴＳ−１'''〜ＴＳ−Ｎ'''は送信側で挿入した物理情報及び分割情報が記述されている。記述の方法としては、例えば、ＭＰＥＧ２システム（ＩＴＵ−Ｔ  Ｈ．２２２．０、ＩＳＯ／ＩＥＣ  １３８１８−１）を元に作られた社団法人日本ＣＡＴＶ技術協会の定める標準規格（ＪＣＴＥＡ  ＳＴＤ−００２−２．０）の多重フレームヘッダの体系を改良し、図１８（ｂ）の情報と符号化の対応により、図１８（ａ）で示す構造での多重ヘッダの形に改良した記述が１つの例としてあげられる。
【００７０】
［発明実施の形態２２］
本実施の形態のトランスポートストリーム受信装置は、複数の伝送チャネルで送られるトランスポートストリームパケット列の中から、符号化されその中に含まれる伝送に用いる伝送チャネルの搬送波周波数、変調型式、シンボルレート、誤り訂正の内符号及び外符号、フレーム型式をはじめとする物理情報及びその識別の情報と各伝送チャネルのフレーム構造のヘッダ部に含まれる分割順序の次に相当する伝送チャネルの識別情報を抜き出す弁別手投と、それらの情報に基づき伝送元のトランスポートストリームパケット列に再合成する多重手段を具備する。その他の点については実施の形態１２と同様である。
【００７１】
伝送信号受信変換器２２−１〜２２−Ｎで信号変換された信号ＴＳ−１'''〜ＴＳ−Ｎ'''は送信側で挿入した物理情報及び分割情報が記述されている。記述の方法としては、例えば、ＭＰＥＧ２システム（ＩＴＵ−Ｔ  Ｈ．２２２．０、ＩＳＯ／ＩＥＣ  １３８１８−１）を元に作られた社団法人電波産業会の定める標準規格「デジタル放送に使用する番組配列情報」（ＡＲＩＢ  ＳＴＤ−Ｂ１０）や社団法人日本ＣＡＴＶ技術協会の定める「デジタル有線テレビジョン放送番組配列情報の構成及び識別子の運用基準」（ＪＣＴＥＡ  ＳＴＤ１００３−２．０）の番組配列情報の体系に改良を加え、図１９（ｂ）の情報と符号化のそれぞれの対応により、図１９（ａ）で示す構造のケーブル分配システム記述子の記述及び、社団法人日本ＣＡＴＶ技術協会の定める標準規格「デジタル有線テレビジョン放送多重化装置」（ＪＣＴＥＡ  ＳＴＤ・００２−２．０）の改良による図２０（ｂ）の情報と符号化の対応により、図２０（ａ）で示す構造の多重フレームヘッダによる記述の併用が一つの例としてあげられる。
【００７２】
なお、トランスポートストリーム受信装置で伝送チャネルの物理情報や分割の順序を示す情報を除去したがＴＳ信号がＭＰＥＧデコーダなどに入力する場合など、情報が含まれても無効となる場合には除去せず多重部に信号を送り、これらの情報を含んだまま多重化することも可能である。以上いくつかの実施例により本発明を説明してきたが、本発明はこれらに限定されることなく特許請求の範囲に規定された発明の要旨内で各種の変形、変更の可能なことは自明であろう。
【００７３】
【発明の効果】
本願において開示される発明のうち代表的なものによって得られる効果を簡単に説明すれば、以下のとおりである。
本発明により、伝送チャネルの容量を超えるトランスポートストリームパケット列を複数の伝送チャネルで伝送するに当たり、トランスポートストリームパケット列の中に多重のための情報や伝送チャネルの物理情報を挿入するので多重のための情報や伝送チャネルの物理情報を事前に通知することなく自動的に受信側で設定でき、伝送条件の多重のための情報や変更の設定が随時行うことが出来る。
また、物理情報や多重のための情報をトランスポートストリーム内に含めて伝送することにより伝送する特別な伝搬路や下位層のパケット伝送のシステムも不要になる。
【図面の簡単な説明】
【図１】  本発明のトランスポートストリームの送信装置および受信装置の実施例の概要の構成ブロック図を示す図である。
【図２】  本発明の送信装置におけるトランスポートストリームパケットの処理の例を示す図である。
【図３】  本発明の受信装置におけるトランスポートストリームパケットの処理の例を示す図である。
【図４】  実施の形態２、１３に係る記述子の例を示す図である。
【図５】  実施の形態３、１４に係る記述子の例を示す図である。
【図６】  実施の形態４、１５に係る記述子の例を示す図である。
【図７】  実施の形態５、１６に係る記述子の例を示す図である。
【図８】  実施の形態６、１７に係る記述子の例を示す図である。
【図９】  実施の形態６、１７に係る記述子の例を示す図である。
【図１０】  実施の形態７、１８に係る第１の例の記述子を示す図である。
【図１１】  実施の形態７、１８に係る第１の例のテーブルを示す図である。
【図１２】  実施の形態７、１８に係る第２の例の記述子を示す図である。
【図１３】  実施の形態７、１８に係る第２の例の記述子を示す図である。
【図１４】  実施の形態８、１９に係る第１の例のテーブルを示す図である。
【図１５】  実施の形態８、１９に係る第２の例の記述子を示す図である。
【図１６】  実施の形態９、２０に係る記述子の例を示す図である。
【図１７】  実施の形態９、２０に係る記述子の例を示す図である。
【図１８】  実施の形態１０、２１に係る記述子の例を示す図である。
【図１９】  実施の形態１１、２２に係る記述子の例を示す図である。
【図２０】  実施の形態１１、２２に係るフレームヘッダの例を示す図である。
【符号の説明】
１…高遠ＭＰＥＧ−ＴＳ信号源
２…トランスポートストリーム受信装置
３…伝送チャネル
４…トランスポートストリーム受信装置
５…表示装置
１１…ＴＳパケット分離部
１２…ＴＳレート変換部
１２−１〜１２−Ｎ…ＴＳレート変換器
１３…デジタル速度変換部
１３−１〜１３−Ｎ…デジタル速度変換器
１４…分割情報発生部
１４−１〜１４−Ｎ…分割情報発生器
１５…ＴＳパケット多重部
１５−１〜１５−Ｎ…ＴＳパケット多重器
１６…伝送信号送信変換部
１６−１〜１６−Ｎ…伝送信号送信変換器
２１…伝送チャネル選択部
２１−１〜２１−Ｎ…伝送チャネル選択器
２２…伝送信号受信変換部
２２−１〜２２−Ｎ…伝送信号受信変換器
２３…分割情報受信制御部
２３−１〜２３−Ｎ…分割情報受信制御器
２４…分割情報除去部
２４−１〜２４−Ｎ…分割情報除去器
２５…ＴＳレート変換部
２５−１〜２５−Ｎ…ＴＳレート変換器
２６…デジタル速度変換部
２６−１〜２６−Ｎ…デジタル速度変換器
２７…ＴＳパケット多重部
２８…ＭＰＥＧ−ＴＳパケット分離部
２９…ＭＰＥＧビデオレコーダ
３０…ＭＰＥＧオーディオデコーダ
４１…ＭＰＥＧ−ＴＳパケットの同期バイト
４２…ＭＰＥＧ−ＴＳパケットのＭＰＥＧデータなど
４８…誤り訂正符号
４４…高速ＭＰＥＧ−ＴＳパケット列
４５ａ〜４５ｃ…ＴＳパケット分離部１１で分割されたＴＳ
４６ａ〜４６ｃ…ＴＳレート変換部１２でレートを変換されたＴＳ
４７ａ〜４７ｃ…デジタル速度変換部１３で速度変換きれたＴＳ
４８ａ〜４８ｃ…ＴＳパケット多重部１５でデータ挿入されたＴＳ
５０ａ〜５０ｃ…伝送信号受信変換部２２で変換されたＴＳ
５１ａ〜５１ｃ…分割情報除去部２４で挿入データを除去されたＴＳ
５２ａ〜５２ｃ…ＴＳレート変換部２５でレートを変換きれたＴＳ
５３ａ〜５３ｃ…デジタル速度変換部２６で速度変換されたＴＳ
５４ａ…ＴＳパケット多重部２７で多重化されたＴＳ
【図１】
0004647149.tif 000002
【図２】
0004647149.tif 000003
【図３】
0004647149.tif 000004
【図４】
0004647149.tif 000005
【図５】
0004647149.tif 000006
【図６】
0004647149.tif 000007
【図７】
0004647149.tif 000008
【図８】
0004647149.tif 000009
【図９】
0004647149.tif 000010
【図１０】
0004647149.tif 000011
【図１１】
0004647149.tif 000012
【図１２】
0004647149.tif 000013
【図１３】
0004647149.tif 000014
【図１４】
0004647149.tif 000015
【図１５】
0004647149.tif 000016
【図１６】
0004647149.tif 000017
【図１７】
0004647149.tif 000018
【図１８】
0004647149.tif 000019
【図１９】
0004647149.tif 000020
【図２０】
0004647149.tif 000021